(57)【特許請求の範囲】
【請求項１】
窓枠に取り付けられるフレームと、
一端部が前記フレームの一端部に枢着された短アームと、
一端部が前記短アームの他端部に枢着され、障子の框に取り付けられる障子取付アームと、
一端部が前記障子取付アームの長手方向の中間部に枢着され、他端部が前記フレームの他端部に枢着された長アームと、
前記フレームの長手方向にスライド可能に支持され、前記短アームの一端部外周に向かって付勢力が付与されたスライド体とを備え、
前記短アームの一端部外周の二箇所に設けた係合凹部又は凸部の一方に前記スライド体に設けた係合凸部又は凹部を係合させてストッパーを構成してなり、
該ストッパーにより、障子の全閉状態と全開状態との間の小開状態及び全開状態において、障子を固定可能としてなることを特徴とするストッパー付窓ステー。
【発明の詳細な説明】
【技術分野】
【０００１】
本発明は、すべり出し窓に用いられるストッパー付窓ステーの改良に関するものである。
【背景技術】
【０００２】
すべり出し窓に用いられる窓ステーとして、障子を閉じた全閉状態から、主に換気のために障子を約３０°程度開いた小開状態、及び、主にガラス面の清掃のために障子を約９０°程度開いた全開状態を取ることができると共に、前記小開状態及び全開状態において障子を固定することができるストッパーを備えたものがある。このようなストッパー付窓ステーによれば、風圧等による障子のガタツキを抑制することができると共に、障子ガラス面の清掃時における作業性を向上することができる。
【０００３】
例えば特許文献１には、横すべり出し窓に用いられる窓ステーとして、窓枠側左右のアーム機構の上動に際し小アーム端部に取り付けたスライダーを枠レールの上部にスライドさせ、スライダーの遊嵌孔にピンとスプリングを介して組み込んだ可動性ストッパーを枠レールの第１切欠凹部に嵌入させ、かつ前記ストッパーのピンの基端をスライダーの裏板に設けた弾撥性凹部に係止させることにより、障子プレートを前記小開状態で固定し、前記第１切欠凹部に嵌入した可動性ストッパーを外してアーム機構を更に枠レールの上部にスライドさせて、前記可動性ストッパーを枠レールの上部に設けた第２切欠凹部に嵌入させ、かつ前記ストッパーのピンの基端をスライダーの裏板に設けた弾撥性凹部に係止させることにより、障子プレートを前記全開状態で固定する構成が開示されている。
【０００４】
【特許文献１】特開平１０−１５９４２４号公報（図１、図３、図８、図１１）
【発明の開示】
【発明が解決しようとする課題】
【０００５】
以上のような従来のストッパー付窓ステーは、スライダーをスライドさせながら障子の開閉を行い、該スライダーに設けた可動性ストッパーを枠レールの第１切欠凹部又は第２切欠凹部に嵌入させること、及び、可動性ストッパーのピンの基端をスライダーの裏板に設けた弾撥性凹部に係止させることにより、前記小開状態及び全開状態において障子を固定する構成であるため、スライダーに設けたストッパーの構成が比較的複雑であること及びスライダーのスライド時の摩擦抵抗が比較的大きいこと等から、障子の開閉及び固定を安定かつ確実に行うことができない場合があるという問題点がある。また、該開閉及び固定動作の信頼性を長期間にわたって維持することができないという問題点がある。
【０００６】
本発明は、前記のような問題点を解決するためになされたものであり、簡素な構成により障子の開閉及び固定を安定かつ確実に行うことができると共に該開閉及び固定動作の信頼性を長期間にわたって維持することができるストッパー付窓ステーを得ることを目的とする。また、剛性が高いため、風圧等による障子のガタツキをより効果的に抑制することができると共に、前記全開状態で行う障子のガラス面清掃時における作業性をより向上することができるストッパー付窓ステーを得ることを目的とする。
【０００７】
本発明に係るストッパー付窓ステーは、窓枠に取り付けられるフレームと、一端部が前記フレームの一端部に枢着された短アームと、一端部が前記短アームの他端部に枢着され、障子の框に取り付けられる障子取付アームと、一端部が前記障子取付アームの長手方向の中間部に枢着され、他端部が前記フレームの他端部に枢着された長アームと、前記フレームの長手方向にスライド可能に支持され、前記短アームの一端部外周に向かって付勢力が付与されたスライド体とを備え、前記短アームの一端部外周の二箇所に設けた係合凹部又は凸部の一方に前記スライド体に設けた係合凸部又は凹部を係合させてストッパーを構成してなり、該ストッパーにより、障子の全閉状態と全開状態との間の小開状態及び全開状態において、障子を固定可能としてなるものである。
【発明の効果】
【０００８】
本発明に係るストッパー付窓ステーによれば、窓枠に取り付けられるフレームと、一端部が前記フレームの一端部に枢着された短アームと、一端部が前記短アームの他端部に枢着され、障子の框に取り付けられる障子取付アームと、一端部が前記障子取付アームの長手方向の中間部に枢着され、他端部が前記フレームの他端部に枢着された長アームと、前記フレームの長手方向にスライド可能に支持され、前記短アームの一端部外周に向かって付勢力が付与されたスライド体とを備え、前記短アームの一端部外周の二箇所に設けた係合凹部又は凸部の一方に前記スライド体に設けた係合凸部又は凹部を係合させてストッパーを構成してなり、該ストッパーにより、障子の全閉状態と全開状態との間の小開状態及び全開状態において、障子を固定可能としてなるので、スライダーがない簡素な構成であり、フレーム、短アーム、障子取付アーム及び長アームを連結してなる平面四節リンク機構により障子が開閉するため、障子の開閉動作を安定かつ確実に行うことができると共に該開閉動作の高い信頼性を長期間にわたって維持することができる。また、ストッパーの構成が前記短アームの一端部外周の二箇所に設けた係合凹部又は凸部の一方に前記スライド体に設けた係合凸部又は凹部を係合させる簡素な構成であるため、障子の固定動作を安定かつ確実に行うことができると共に該固定動作の高い信頼性を長期間にわたって維持することができる。さらに、剛性が高い平面四節リンク機構及びその関節を固定するストッパーにより障子の開閉動作及び固定動作を行うため、風圧等による障子のガタツキをより効果的に抑制することができると共に、前記全開状態で行う障子のガラス面清掃時における作業性をより向上することができる。
【発明を実施するための最良の形態】
【０００９】
次に本発明の実施の形態を添付図面に基づき詳細に説明するが、本発明は、添付図面に示された形態に限定されず特許請求の範囲に記載の要件を満たす実施形態の全てを含むものである。なお、本明細書においては、図１（ａ）、図２、図３及び図５の左側が屋外側（図中ＯＤ参照。）、右側が屋内側（図中ＩＤ参照。）であり、屋内側から屋外側へ向かって前後左右を前後左右とする。
【００１０】
図１〜図３は、本発明の実施の形態に係るストッパー付窓ステーの構成説明図であり、屋外側へ障子がすべり出す横すべり出し窓に用いられた場合を示している。図１は障子を閉じた全閉状態を、図２は障子を約３０°程度開いた小開状態を、図３は障子を約９０°程度開いた全開状態を示している。ここで、図１（ａ）は正面図であり、図１（ｂ）は側面図である。また、図４は本発明の実施の形態に係るストッパー付窓ステーの分解斜視図である。
【００１１】
先ず、ストッパー付窓ステー１のリンク機構について説明する。ストッパー付窓ステー１は、図示しない窓枠の左右の縦枠に取り付けられるフレーム２と、一端部４ａがフレーム２の一端部２ａ，２ｂに枢着された短アーム４と、一端部５ａが短アーム４の他端部４ｂに枢着され、図示しない障子の縦框に取り付けられる障子取付アーム５と、一端部６ａが障子取付アーム５の長手方向の中間部５ｂに枢着され、他端部６ｂがフレーム２の他端部２ｃ，２ｄに枢着された長アーム６とからなる平面四節リンク機構により構成される。なお、図示している窓ステー１は、窓枠の右の縦枠に取り付けられるものであり、左の縦枠には、該窓ステー１と左右対称の窓ステーが用いられる。
【００１２】
フレーム２は、例えばステンレス鋼製であり、図４に示すように前方に開放する平面視略コ字状のものである。該略コ字状の開口部には、例えばナイロン又はポリアセタール等の合成樹脂製である、前方に開放する平面視略コ字状のガイド３が装着される。フレーム２の一端部（上端部）には左右方向の通孔２ａ，２ｂが形成されており、ガイド３の一端部（上端部）には、フレーム２の通孔２ａ，２ｂに対応する位置に左右方向の通孔３ａ，３ｂが形成されている。また、フレーム２の他端部（下端部）には左右方向の通孔２ｃ，２ｄが形成されており、ガイド３の他端部（下端部）には、フレーム２の通孔２ｃ，２ｄに対応する位置に左右方向の通孔３ｃ，３ｄが形成されている。なお、フレーム２は、その上下の長孔１７，１８を利用して、図示しない窓枠の縦枠に固定され、フレーム２の長孔１７の周囲から左方に立起する周壁には、ガイド３の長孔３ｇが外嵌される。
【００１３】
短アーム４は、例えばステンレス鋼製であり、その一端部の通孔４ａを前記フレーム２及びガイド３の通孔２ａ，２ｂ，３ａ，３ｂに合わせるように、ガイド３の開口部から挿入し、段付リベット２１を通孔２ａ，３ａ，４ａ，３ｂ，２ｂに通して軸端をかしめることにより、短アーム４の一端部はフレーム２の一端部に水平軸まわりに回動可能に連結される。
【００１４】
障子取付アーム５は、例えばステンレス鋼製であり、その一端部と短アーム４の他端部との間に、例えばナイロン又はポリアセタール等の合成樹脂製のスペーサ１０を介し、段付リベット２２を障子取付アーム５の一端部の通孔５ａ、スペーサ１０の通孔１０ａ、短アーム４の他端部の通孔４ｂに通して軸端をかしめることにより、障子取付アーム５の一端部は短アーム４の他端部に水平軸まわりに回動可能に連結される。なお、障子取付アーム５は、その長手方向の例えば二箇所に形成された通孔１９，２０を利用して、図示しない障子の縦框に固定される。
【００１５】
長アーム６は、例えばステンレス鋼製であり、その一端部と障子取付アーム５の長手方向の中間部との間に、図示しない例えばナイロン又はポリアセタール等の合成樹脂製のワッシャーを介し、段付リベット２３を長アーム６の一端部の通孔６ａ、障子取付アーム５の長手方向の中間部の通孔５ｂに通して軸端をかしめることにより、長アーム６の一端部は障子取付アーム５の長手方向の中間部に水平軸まわりに回動可能に連結される。
【００１６】
また、長アーム６は、その他端部の通孔６ｂを前記フレーム２及びガイド３の通孔２ｃ，２ｄ，３ｃ，３ｄに合わせるように、ガイド３の開口部から挿入し、段付リベット２４を通孔２ｃ，３ｃ，６ｂ，３ｄ，２ｄに通して軸端をかしめることにより、長アーム６の他端部はフレーム２の他端部に水平軸まわりに回動可能に連結される。
【００１７】
以上のようなフレーム２、短アーム４、障子取付アーム５並びに長アーム６からなる平面四節リンク機構により、図１（ａ）の障子を閉じた全閉状態、図２の障子を約３０°程度開いた小開状態、図３の障子を約９０°程度開いた全開状態の各状態間の障子の開閉動作を安定かつ確実に行うことができる。
【００１８】
以上のとおり、本発明の実施の形態に係るストッパー付窓ステー１は、スライダーがない簡素な構成であり、フレーム２、短アーム４、障子取付アーム５並びに長アーム６からなる平面四節リンク機構により障子が開閉するものである。したがって、スライダーがないことからガタが生じにくく、障子の開閉操作に大きな力が必要となることはない。よって、障子の開閉動作をより安定かつ確実に行うことができると共に該開閉動作の高い信頼性を長期間にわたって維持することができるものである。また、前記のとおりストッパー付窓ステー１のリンク機構のリンクの摺動部及び関節部には樹脂製のガイド３、スペーサ１０及びワッシャーが装着されており、障子の開閉動作の円滑化が図られているため、さらに障子の開閉動作の信頼性を向上することができる。
【００１９】
次にストッパー機構の構成及び動作について説明する。図１〜図４において、スライド体７は、例えばステンレス鋼製であり、上下方向の長孔１４をフレーム２の通孔２ｅ，２ｆ及びガイド３の長孔３ｅ，３ｆに合わせるように、前方に開放する平面視略コ字状のガイド３（図４参照。）の開口部から挿入し、リベット１５を通孔２ｅ、長孔３ｅ、長孔１４、長孔３ｆ、通孔２ｆを通して軸端をかしめることにより、フレーム２により上下方向に（フレーム２の長手方向に）スライド可能に支持される。
【００２０】
スライド体７の上部には係合凸部１３が形成されると共に、前方に延びる操作部７ａが形成され、該操作部７ａには合成樹脂製のつまみ９が装着される。そして、スライド体７の下部のバネ受け部１６がコイルばね８により上方に付勢されているため、スライド体７は短アーム４の一端部外周４ｃに向かって付勢力が付与されている。また、短アーム４の一端部外周４ｃの二箇所には、係合凹部１１，１２が形成されている。
【００２１】
したがって、図１（ａ）の全閉状態から図２の小開状態まで障子を開くと、スライド体７の係合凸部１３が、短アーム４の一端部外周４ｃに形成された係合凹部１１に係合するため、該位置から障子をさらに開くことはできなくなる。この障子の小開状態における固定状態において、つまみ９を前記付勢力に抗して押し下げて前記係合凹部１３を下降させると、障子は図３の全開状態まで開くことができ、この状態ではスライド体７の係合凸部１３が、短アーム４の一端部外周４ｃに形成された係合凹部１２に係合するため、該位置において障子が固定される。この障子の全開状態における固定状態において、つまみ９を前記付勢力に抗して押し下げて前記係合凹部１３を下降させると、障子を閉じることが可能となる。
【００２２】
このように、短アーム４の一端部外周４ｃの二箇所に設けた係合凹部１１，１２の一方にスライド体７に設けた係合凸部１３を係合させることによりストッパーが構成され、障子の全閉状態と全開状態との間の小開状態及び全開状態において、障子が固定可能となる。なお、該ストッパーは、短アーム４の一端部外周４ｃの二箇所に係合凸部を設け、スライド体７上部に短アーム４の係合凸部と係合する係合凹部を設けることにより構成してもよい。
【００２３】
以上のとおり、ストッパーの構成が、短アーム４の一端部外周４ｃの二箇所に設けた係合凹部１１，１２又は係合凸部の一方にスライド体７に設けた係合凸部１３又は係合凹部を係合させて平面四節リンク機構の一つの関節を固定する簡素な構成であるため、障子の固定を安定かつ確実に行うことができると共に該固定動作の高い信頼性を長期間にわたって維持することができる。また、剛性が高い平面四節リンク機構及びその中の一つの関節を固定するストッパーにより障子の開閉動作及び固定動作を行うため、風圧等による障子のガタツキをより効果的に抑制することができると共に、前記全開状態で行う障子のガラス面清掃時における作業性をより向上することができる。
【００２４】
図５は、本発明の実施の形態に係るストッパー付窓ステー１を屋内側へ障子がすべり出す横すべり出し窓に用いた例において、障子を約３０°程度開いた小開状態を示す正面図であり、図１〜図４と同一符号は同一又は相当部分を示している。この構成は、図１〜図３のストッパー付窓ステー１の上下を反転させて用いたものであり、このような構成であっても、前記小開状態及び全開状態における障子の固定を、図１〜図３と同様に行うことができる。また、前記ストッパーによる障子の固定の解除は、つまみ９を前記付勢力（図５においてはスライド体７はコイルばね８により下方へ付勢されている。）に抗して押し上げることにより行うことができる。このような構成であっても、図１〜図４と同様の作用効果を奏する。
【００２５】
以上の説明においては、本発明に係るストッパー付窓ステーを窓枠の左右の縦枠に取り付けた横すべり出し窓を例として説明したが、本発明に係るストッパー付窓ステーは、このような用途に限定されるものではない。例えば、窓枠の上下の横枠に本発明に係るストッパー付窓ステーを取り付けて、縦すべり出し窓としてもよい。
【図面の簡単な説明】
【００２６】
【図１】本発明の実施の形態に係るストッパー付窓ステーを屋外側へ障子がすべり出す横すべり出し窓に用いた例を示す構成説明図であり、（ａ）は正面図、（ｂ）は側面図である。
【図２】同じく障子を約３０°程度開いた小開状態を示す正面図である。
【図３】同じく障子を約９０°程度開いた全開状態を示す正面図である。
【図４】本発明の実施の形態に係るストッパー付窓ステーの分解斜視図である。
【図５】本発明の実施の形態に係るストッパー付窓ステーを屋内側へ障子がすべり出す横すべり出し窓に用いた例において、障子を約３０°程度開いた小開状態を示す正面図である。
【符号の説明】
【００２７】
１  ストッパー付窓ステー
２  フレーム
２ａ，２ｂ  通孔（一端部）
２ｃ，２ｄ  通孔（他端部）
２ｅ，２ｆ  通孔
３  ガイド
３ａ，３ｂ  通孔（一端部）
３ｃ，３ｄ  通孔（他端部）
３ｅ，３ｆ，３ｇ  長孔
４  短アーム
４ａ  通孔（一端部）
４ｂ  通孔（他端部）
４ｃ  外周
５  障子取付アーム
５ａ  通孔（一端部）
５ｂ  通孔（中間部）
６  長アーム
６ａ  通孔（一端部）
６ｂ  通孔（他端部）
７  スライド体
７ａ  操作部
８  コイルばね
９  つまみ
１０  スペーサ
１０ａ  通孔
１１，１２  係合凹部
１３  係合凸部
１４  長孔
１５  リベット
１６  バネ受け部
１７，１８  枠体取付長孔
１９，２０  障子取付孔
２１，２２，２３，２４  段付リベット
ＩＤ  屋内側
ＯＤ  屋外側
【図１】
0004591264.tif 000002
【図２】
0004591264.tif 000003
【図３】
0004591264.tif 000004
【図４】
0004591264.tif 000005
【図５】
0004591264.tif 000006